(57)【要約】 【課題】  本発明は、遊技機に配設された扉が開放されたときに、携帯電話機等の端末に備えられている撮影機能を制限することができる。【解決手段】  本発明は、遊技機１に配設された前面扉２の開放を検出する扉開放検出手段と、扉開放検出手段による検出結果に基づいて撮影機能を制限する所定の条件情報を送信する送信手段と、送信手段から受信した所定の条件情報に基づいて撮影機能を制限する端末とを備える。【選択図】      図３
2005065773.tif 000002
【特許請求の範囲】
【請求項１】
所定の条件情報を端末に送信することにより該端末の撮影機能を制限する遊技機であって、
遊技機に配設された扉の開放を検出する扉開放検出手段と、
前記扉開放検出手段による検出結果に基づいて、前記所定の条件情報を前記端末に送信する送信手段と
を備えることを特徴とする遊技機。
【請求項２】
機器に配設された扉の開放を検出する扉開放検出手段と、
前記扉開放検出手段による検出結果に基づいて、所定の条件情報を送信する送信手段と、
前記送信手段から受信した前記所定の条件情報に基づいて撮影機能を制限する端末と
を備えることを特徴とする機器撮影制限システム。
【請求項３】
前記端末は、該端末の位置と前記機器の位置とを特定する位置特定手段と、
前記位置特定手段によって特定された前記端末の位置と前記機器の位置との差分が予め設定された基準値の範囲内であるときは、前記送信手段から受信した前記所定の条件情報に基づいて撮影機能を制限する機能制限手段と
を備えることを特徴とする請求項２に記載の機器撮影制限システム。
【請求項４】
前記所定の条件情報は、撮影を不能にする情報であることを特徴とする請求項２又は３のいずれかに記載の機器撮影制限システム。
【発明の詳細な説明】
【技術分野】
【０００１】
本発明は、機器撮影制限システム及び遊技機に関する。
【背景技術】
【０００２】
従来より、遊技機は、遊技機の前面に配設された扉の開閉により、遊技機の内部にあるケーブルが当該扉に挟まれないような構造となっている（例えば、特許文献１参照）。これにより、遊技場の店員は、遊技機のメンテナンス又はメダルの補充を迅速に行うことができる。
【特許文献１】特開２００３−７９７８６号公報
【発明の開示】
【発明が解決しようとする課題】
【０００３】
しかしながら、遊技場の店員が上記遊技機のメンテナンス等により遊技機の扉を開放するときは、遊技機の周辺には遊技者が存在するため、当該遊技場の店員は、遊技機の内部構造を遊技者に見せることなく、遊技機の扉を開放することが困難であった。
【０００４】
特に近年のカメラ付き携帯電話機の普及により、当該カメラ付き携帯電話機を所持する遊技者が多くの割合を占めているため、遊技機の扉がメンテナンス等により開放されたときは、遊技機の内部構造が遊技者によって撮影されることがあった。
【０００５】
このように、遊技機の扉が開放されることにより、遊技機の内部構造が撮影されてしまうと、撮影された画像等が不正な利益を得るようにするための材料として用いられてしまう（例えば、ゴト行為）ため、遊技場の店員は、遊技機内部の撮影を行う遊技者を注意する必要があった。
【０００６】
ところが、遊技場内は遊技機から出力される効果音などにより騒がしいため、カメラ付き携帯電話機から出力されるシャッター音が打ち消されてしまい、遊技場の店員は、当該遊技者に対して的確に注意をすることができなかった。
【０００７】
そこで、本発明は以上の点に鑑みてなされたものであり、機器に配設された扉が開放されたときに、携帯電話機等の端末に備えられている撮影機能を制限することのできる機器撮影制限システム及び遊技機を提供することを課題とする。
【課題を解決するための手段】
【０００８】
本願に係る発明は、上記課題を解決するために、所定の条件情報を端末に送信することにより該端末（例えば、携帯電話機１００）の撮影機能を制限する遊技機であって、遊技機に配設された扉の開放を検出する扉開放検出手段（例えば、扉開放スイッチ８０，ＣＰＵ３１）と、前記扉開放検出手段による検出結果に基づいて、前記所定の条件情報を前記端末に送信する送信手段（例えば、コマンド送受信部８１）とを備えることを特徴とする。
【０００９】
このような本願に係る発明によれば、遊技機に配設された扉の開放を検出する扉開放検出手段と、扉開放検出手段による検出結果に基づいて撮影機能を制限する所定の条件情報を送信する送信手段とが備えられたため、遊技機は、遊技機に配設された扉が開放されたときに、所定の条件情報を端末に送信することにより、該端末に備えられている撮影機能を制限することができ、結果的には不正行為者を低減させることができる。
【００１０】
また、本願に係る発明は、機器（例えば、遊技機１，両替機，カード処理機，玉貸しサンド，自動販売機又は自動改札機など）に配設された扉の開放を検出する扉開放検出手段（例えば、扉開放スイッチ８０，ＣＰＵ３１）と、扉開放検出手段による検出結果に基づいて、撮影機能を制限する所定の条件情報を送信する送信手段（例えば、コマンド送受信部８１）と、送信手段から受信した所定の条件情報に基づいて撮影機能を制限する端末（例えば、携帯電話機１００）とを備えることを特徴とする。この所定の条件情報は、撮影を不能にする情報であってもよい。
【００１１】
このような本願に係る発明によれば、機器に配設された扉の開放を検出する扉開放検出手段と、扉開放検出手段による検出結果に基づいて撮影機能を制限する所定の条件情報を送信する送信手段と、送信手段から受信した所定の条件情報に基づいて撮影機能を制限する端末とが備えられたため、機器撮影制限システムは、機器に配設された扉が開放されたときに、端末に備えられている撮影機能を制限することができ、結果的には不正行為者を低減させることができる。
【００１２】
上記発明においては、端末は、端末の位置と機器の位置とを特定する位置特定手段（例えば、位置特定部１１５）と、位置特定手段によって特定された端末の位置と機器の位置との差分が予め設定された基準値の範囲内であるときは、送信手段から受信した所定の条件情報に基づいて撮影機能を制限する機能制限手段（例えば、ＣＰＵ１１０）とを備えることが好ましい。
【００１３】
この場合には、端末の位置と機器の位置とを特定する位置特定手段と、位置特定手段によって特定された端末の位置と機器の位置との差分が予め設定された基準値の範囲内であるときは、送信手段から受信した所定の条件情報に基づいて撮影機能を制限する機能制限手段とが備えられたため、機器撮影制限システムは、端末に備えられている撮影機能を常に制限させないようにすることができる。
【００１４】
なお、所定の条件情報は、撮影を制限する時間を設定する情報、フラッシュの発光を禁止する情報、所定の画素数以上での撮影を禁止する情報又は撮影した画像情報の解像度に関する情報であってもよい。
【発明の効果】
【００１５】
以上説明したように本発明によれば、機器に配設された扉が開放されたときに、携帯電話機等の端末に備えられている撮影機能を制限することができる。
【発明を実施するための最良の形態】
【００１６】
（機器撮影制限システム及び遊技機の基本構成）
本発明に係る発明について図面を参照しながら説明する。図１は、機器撮影制限システムの概要を示す図である。同図に示すように、本実施形態に係る機器撮影制限システムは、遊技機１の前面扉２が開放されたときに、携帯電話機１００が遊技機１から受信した所定の条件情報に基づいて被写体の撮影を制限するものである。
【００１７】
図２は、遊技機１の外観を示す斜視図である。同図に示すように、遊技機１の全体を形成している前面扉２の正面には、略垂直面としてのパネル表示部２ａが形成され、その中央には縦長矩形の表示窓４Ｌ，４Ｃ，４Ｒが設けられる。表示窓４Ｌ，４Ｃ，４Ｒには、入賞ラインとして水平方向にトップライン８ｂ，センターライン８ｃ及びボトムライン８ｄ、斜め方向にクロスダウンライン８ａ及びクロスアップライン８ｅが設けられている。
【００１８】
これらの入賞ラインは、１−ＢＥＴスイッチ１１、２−ＢＥＴスイッチ１２、最大ＢＥＴスイッチ１３を操作すること、或いはメダル投入口２２にメダルを投入することにより、それぞれ１本、３本、５本が有効化される。どの入賞ラインが有効化されたかは、ＢＥＴランプ９ａ，９ｂ，９ｃの点灯で示される。
【００１９】
表示窓４Ｌ，４Ｃ，４Ｒの左側には、１−ＢＥＴランプ９ａ、２−ＢＥＴランプ９ｂ、最大ＢＥＴランプ９ｃ、クレジット表示部１９が設けられる。１−ＢＥＴランプ９ａ、２−ＢＥＴランプ９ｂ及び最大ＢＥＴランプ９ｃは、一のゲームを行うために設けられたメダルの数に応じて点灯する。
【００２０】
メダル受け部１６は、正面下部のメダル払出口１５から払い出されたメダルを溜めるものである。スタートレバー６は、所定の角度範囲で揺動自在に配設されており、遊技者の操作によりリール３Ｌ，３Ｃ，３Ｒを回転させ、表示窓４Ｌ，４Ｃ，４Ｒ内での図柄の変動表示を開始するものである。
【００２１】
前面扉２の上方の左右には、スピーカ２１Ｌ，２１Ｒが設けられ、その２台のスピーカ２１Ｌ，２１Ｒの間には、入賞図柄の組合せ及びメダルの配当枚数等を表示する配当表パネル２３が設けられている。台座部１０の前面部中央で、液晶表示装置５の下方位置には、３個のリール３Ｌ，３Ｃ，３Ｒの回転をそれぞれ停止させるための３個の停止ボタン７Ｌ，７Ｃ，７Ｒが設けられている。
【００２２】
前面扉２の内部には、各々の外周面に複数種類の図柄によって構成される図柄列が描かれた３個のリール３Ｌ，３Ｃ，３Ｒが回転自在に横一列に設けられ、変動表示手段を形成している。各リールの図柄は、表示窓４Ｌ，４Ｃ，４Ｒを通して観察できるようになっている。各リールは、定速回転（例えば８０回転／分）で回転する。
【００２３】
図３は、機器撮影制限システムの内部構造を示す図である。本実施形態に係る機器撮影制限システムは、遊技機１と携帯電話機１００とを備えている。
【００２４】
同図に示すように、前記遊技機１は、遊技機１における遊技処理動作を制御する主制御回路７１と、主制御回路７１に電気的に接続する周辺装置と、主制御回路７１から送信される制御指令に基づいて液晶表示装置５及びスピーカ２１Ｌ，２１Ｒを制御する副制御回路７２と、コマンド送受信部８１と、後述する入力発生手段とを含む回路構成を示す図である。
【００２５】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００２６】
このＣＰＵ３１は、入力発生手段からの入力信号に基づいて該当する動作を行うように指示するコマンドを周辺装置、副制御回路又はコマンド送受信部８１に送信する。
【００２７】
周辺装置は、各種ランプ（１−ＢＥＴランプ９ａ、２−ＢＥＴランプ９ｂ、最大ＢＥＴランプ９ｃ、当り表示ランプ１７）と、各種表示部（払出表示部１８、クレジット表示部１９、ボーナス遊技情報表示部２０）と、メダルを収納し、ホッパー駆動回路４１の命令により所定枚数のメダルを払い出す遊技価値付与手段としてのホッパー４０と、リール３Ｌ，３Ｃ，３Ｒを回転駆動するステッピングモータ４９Ｌ，４９Ｃ，４９Ｒと、ステッピングモータ４９Ｌ，４９Ｃ，４９Ｒを駆動制御するモータ駆動回路３９と、ホッパー４０を駆動制御するホッパー駆動回路４１と、各種ランプを駆動制御するランプ駆動回路４５と、各種表示部を駆動制御する表示部駆動回路４８とを備えている。これらの周辺装置は、Ｉ／Ｏポート３８を介してＣＰＵ３１の出力部に接続されている。
【００２８】
入力発生手段は、マイクロコンピュータ３０が制御指令を発生するために必要な入力信号を発生するものであり、スタートスイッチ６Ｓと、１−ＢＥＴスイッチ１１と、２−ＢＥＴスイッチ１２と、最大ＢＥＴスイッチ１３と、投入メダルセンサ２２Ｓと、リール停止信号回路４６と、リール位置検出回路５０と、払出完了信号回路５１と、扉開放スイッチ８０とを備えている。これらも、Ｉ／Ｏポート３８を介してＣＰＵ３１に接続されている。
【００２９】
スタートスイッチ６Ｓは、スタートレバー６の操作を検出するものである。投入メダルセンサ２２Ｓは、メダル投入口２２に投入されたメダルを検出する。リール停止信号回路４６は、各停止ボタン７Ｌ，７Ｃ，７Ｒの操作に応じて停止信号を発生するものである。
【００３０】
リール位置検出回路５０は、リール回転センサからのパルス信号を受けて各リール３Ｌ，３Ｃ，３Ｒの位置を検出するための信号を出力するものである。払出完了信号回路５１は、メダル検出部４０Ｓの計数値（ホッパー４０から払い出されたメダルの枚数）が指定された枚数データに達したときに、メダル払出完了を検出するための信号を出力するものである。扉開放スイッチ８０は、前面扉２の開放を検出するための信号を出力するものである。
【００３１】
コマンド送受信部８１は、ＣＰＵ３１からの指示に基づいて、撮影機能を制限する所定の条件情報を送信する送信手段である。ここで、所定の条件情報には、例えば、撮影を不能にする情報、撮影を制限する時間を設定する情報、フラッシュの発光を禁止する情報、所定の画素数以上での撮影を禁止する情報又は撮影した画像情報の解像度に関する情報（解像度を低下させる情報）が挙げられる。なお、コマンド送受信部８１は、遊技機１の位置を上記所定の条件情報に含めて携帯電話機１００に送信してもよい。
【００３２】
前記携帯電話機１００は、遊技機１から受信した所定の条件情報に基づいて撮影機能を制限する端末である。本実施形態に係る携帯電話機１００は、ＣＰＵ１１０と、ＲＡＭ１１１と、ＲＯＭ１１２と、操作部１１３と、コマンド送受信部１１４と、位置特定部１１５と、カメラ部１１６と、表示部１１７と、スピーカ１１８とを備えている。
【００３３】
操作部１１３は、外部からの操作を可能にするものである。コマンド送受信部１１４は、遊技機１から所定の条件情報を受信するものである。カメラ部１１６は、被写体を撮影するものである。表示部１１７は、所定の画像を表示するものである。スピーカ１１８は、所定の音を出力するものである。
【００３４】
位置特定部１１５は、携帯電話機１００の位置と遊技機１の位置とを特定する位置特定手段である。具体的には、位置特定部１１５は、ＧＰＳ（Global Positioning System ）の機能を用いて携帯電話機１００の位置情報を特定する。また、位置特定部１１５は、遊技機１から受信した所定の条件情報に基づいて、当該所定の条件情報に含まれる遊技機１の位置情報を特定する。なお、遊技機１の位置情報は、遊技機１が設置される位置として予め記憶されてもよく、また遊技機１にＧＰＳ機能を持たせて遊技機１によって特定されてもよい。
【００３５】
ＣＰＵ１１０は、携帯電話機１００の全体を制御するものである。具体的には、ＣＰＵ１１０は、操作部１１３の操作に応じて、所定の画像を表示、所定の音を出力又は被写体を撮影するように指示するコマンドを、それぞれ表示部１１７、スピーカ１１８又はカメラ部１１６に出力する。
【００３６】
また、ＣＰＵ１１０は、コマンド送受信部１１４で受信された所定の条件情報に従って、撮影機能を制限するように指示するコマンドをカメラ部１１６に出力する。具体的には、例えば、ＣＰＵ１１０は、撮影を不能にすること、撮影を制限する時間を設定すること、フラッシュの発光を禁止すること、所定の画素数以上での撮影を禁止すること又は撮影した画像情報の分解能を低下させることを指示するコマンドをカメラ部１１６に出力する。
【００３７】
なお、ＣＰＵ１１０は、位置特定部１１５によって特定された携帯電話機１００の位置と遊技機１の位置との差分が予め設定された基準値内（例えば、携帯電話機１００の位置と遊技機１の位置との距離間が５ｍ以内など）であるときは、遊技機１から受信した所定の条件情報に基づいて撮影を制限するように指示するコマンドをカメラ部１１６に出力してもよい。
【００３８】
（機器撮影制限システム及び遊技機を用いた機器撮影制限制御方法）
上記構成を有する機器撮影制限システムによる機器撮影制限制御方法は、以下の手順により実施することができる。なお、後述する遊技機撮影制限制御方法１及び遊技機撮影制限制御方法２において、所定の条件情報の送受信は有線又は無線で行うことが可能である。
【００３９】
（１）遊技機撮影制限制御方法１
図４は、本実施形態に係る遊技機撮影制限制御方法１の手順を示す図である。
【００４０】
図４に示すように、遊技機１側では、ステップ１００においてＣＰＵ３１が、扉開放スイッチ８０からの信号により前面扉２が開放されたか否かを確認する。このＣＰＵ３１は、前面扉２が開放されたことを確認したときはステップ１１０の処理にする。一方、ＣＰＵ３１は、前面扉２が開放されていないことを確認したときは本処理を終了する。
【００４１】
ステップ１１０においてＣＰＵ３１は、撮影機能を制限する所定の条件情報をコマンド送受信部８１に出力し、コマンド送受信部８１は、入力された所定の条件情報を携帯電話機１００に送信する。
【００４２】
携帯電話機１００側では、ステップ１２０においてコマンド送受信部１１４は、遊技機１から所定の条件情報を受信する。
【００４３】
ステップ１３０においてＣＰＵ１１０は、コマンド送受信部１１４で受信された所定の条件情報に従って撮影機能を制限するように指示するコマンドをカメラ部１１６に出力する。このカメラ部１１６は、入力されたコマンドに基づいて撮影機能を制限する処理を実行する。
【００４４】
なお、遊技機１は、コマンド送受信部１１４から所定の条件情報を送信可能な距離内に存在する携帯電話機１００の撮影機能を制限してもよい（この際、遊技機１は上記ＧＰＳ機能を使用しなくてもよい）。つまり、遊技機１と携帯電話機１００とが通信可能な距離（例えば、５ｍ）である場合には、遊技機１は、当該携帯電話機１００の撮影機能を制限することになる。
【００４５】
なお、遊技機１は、通信距離を調整可能な調整手段（出力調整）を備えてもよい。これにより、調整手段が通信距離を調整することにより、遊技機１は、遊技店のニーズに応じて撮影機能を制限する範囲を柔軟に変更することができる。
【００４６】
（２）遊技機撮影制限制御方法２
図５は、遊技機撮影制限制御方法２の概要を示す図である。図６は、遊技機撮影制限制御方法２の手順を示す図である。
【００４７】
図５及び図６に示すように、遊技機撮影制限制御方法２は、遊技機１のみならず遊技機島設備２００又はホールコンピュータ３００も基地局４００を介して間接的に該当する携帯電話機１００に送信する制御手順である点、及び遊技機１と携帯電話機１００との距離関係で撮影機能を制限する点で、遊技機撮影制限制御方法１とは異なる。
【００４８】
ここで、基地局４００は、通信ネットワーク５００に接続されており、遊技機１、遊技機島設備２００又はホールコンピュータ３００と携帯電話機１００との間のデータの送受信を中継するものである。また、遊技機島設備２００は、複数の遊技機を一組とするものであり、上記所定の条件情報などを携帯電話機１００又は基地局４００に送信する通信手段などを備えている。さらに、ホールコンピュータ３００は、複数の遊技機１の遊技状況を管理するものであり、上記所定の条件情報などを携帯電話機１００又は基地局４００に送信する通信手段などを備えている。
【００４９】
図６に示すように、遊技機１側では、ステップ２００においてＣＰＵ３１が、扉開放スイッチ８０からの信号により前面扉２が開放されたか否かを確認する。このＣＰＵ３１は、前面扉２が開放されたことを確認したときはステップ２１０の処理にする。一方、ＣＰＵ３１は、前面扉２が開放されていないことを確認したときは本処理を終了する。
【００５０】
ステップ２１０においてＣＰＵ３１は、撮影機能を制限する所定の条件情報をコマンド送受信部８１に出力し、コマンド送受信部８１は、入力された所定の条件情報を基地局４００に送信する。
【００５１】
基地局４００側では、ステップ２２０において基地局４００は、遊技機１から送信された所定の条件情報（第１コマンド）を受信する。
【００５２】
ステップ２３０において基地局４００は、遊技機１の周辺に点在する携帯電話機１００に当該所定の条件情報を送信する。
【００５３】
携帯電話機１００側では、ステップ２４０においてコマンド送受信部１１４は、基地局４００から所定の条件情報を受信する。
【００５４】
ステップ２５０において位置特定部１１５は、遊技機１の位置と携帯電話機１００の位置とを特定する。
【００５５】
ステップ２６０においてＣＰＵ１１０は、位置特定部１１５によって特定された遊技機１の位置と携帯電話機１００との差分が予め設定された基準値内であるか否か確認する。このＣＰＵ１１０は、遊技機１の位置と携帯電話機１００との差分が予め設定された基準値内であるときはステップ２７０に移行する。一方、ＣＰＵ１１０は、遊技機１の位置と携帯電話機１００との差分が予め設定された基準値内でないときは本処理を終了する。
【００５６】
ステップ２７０においてＣＰＵ１１０は、コマンド送受信部１１４で受信された所定の条件情報に従って撮影機能を制限するように指示するコマンドをカメラ部１１６に出力する。このカメラ部１１６は、入力されたコマンドに基づいて撮影機能を制限する処理を実行する。
【００５７】
（機器撮影制限システム及び機器撮影制限制御方法による作用及び効果）
このような本願に係る発明によれば、携帯電話機１００が、遊技機１から受信した所定の条件情報に基づいて撮影機能を制限することにより、携帯電話機１００は、遊技機１に配設された前面扉２が開放されたときに、携帯電話機１００に備えられている撮影機能を制限することができ、結果的には不正行為者を低減させることができる。
【００５８】
また、携帯電話機１００が、携帯電話機１００の位置と遊技機１の位置との差分が予め設定された基準値の範囲内であるときは、遊技機１から受信した所定の条件情報に基づいて撮影機能を制限することにより、機器撮影制限システムは、携帯電話機１００に備えている撮影機能を常に制限させないようにすることができる。
【００５９】
なお、本発明は、上記実施形態に限定されるものではなく、下記に示す変更を加えることができる。操作部１１３は、撮影機能を制限するようにすること、又は撮影機能を制限しないようにすることのいずれか一方に切り替えることを指示する切替指示手段であってもよい。また、携帯電話機１００による撮影から守るべき機器は、遊技機１に限られず、遊技場内に配設された両替機、カード処理機又は玉貸しサンドであってもよいし、遊技場外に配設された自動販売機又は自動改札機などであってもよい。
【図面の簡単な説明】
【００６０】
【図１】本実施形態における機器撮影制限システムの概要を示す図である。
【図２】本実施形態における遊技機の外観を示す斜視図である。
【図３】本実施形態における機器撮影制限システムの内部構造を示す図である。
【図４】本実施形態における機器撮影制限制御方法１の手順を示す図である。
【図５】本実施形態における機器撮影制限制御方法２の概要を示す図である。
【図６】本実施形態における機器撮影制限制御方法２の手順を示す図である。
【符号の説明】
【００６１】
１…遊技機、２…前面扉、２ａ…パネル表示部、３…リール、４…表示窓、５…液晶表示装置、６…スタートレバー、６Ｓ…スタートスイッチ、７…停止ボタン、８…入賞ライン、９…ＢＥＴランプ、１０…台座部、１１…ＢＥＴスイッチ、１２…ＢＥＴスイッチ、１３…最大ＢＥＴスイッチ、１５…メダル払出口、１６…メダル受け部、１７…当たり表示ランプ、１８…払出表示部、１９…クレジット表示部、２０…ボーナス遊技情報表示部、２１…スピーカ、２２…メダル投入口、２２Ｓ…投入メダルセンサ、２３…配当表パネル、３０…マイクロコンピュータ、３１…ＣＰＵ、３２…ＲＡＭ、３３…ＲＯＭ、３８…Ｉ／Ｏポート、３９…モータ駆動回路、４０…ホッパー、４０Ｓ…メダル検出部、４１…ホッパー駆動回路、４５…ランプ駆動回路、４６…リール停止信号回路、４８…表示部駆動回路、４９…ステッピングモータ、５０…リール位置検出回路、５１…払出完了信号回路、７１…主制御回路、７２…副制御回路、８０…扉開放スイッチ、８１…コマンド送受信部、１００…携帯電話機、１１０…ＣＰＵ、１１１…ＲＡＭ、１１２…ＲＯＭ、１１３…操作部、１１４…コマンド送受信部、１１５…位置特定部、１１６…カメラ部、１１７…表示部、１１８…スピーカ、２００…遊技機島設備、３００…ホールコンピュータ、４００…基地局、５００…通信ネットワーク
【図１】
2005065773.tif 000003
【図２】
2005065773.tif 000004
【図３】
2005065773.tif 000005
【図４】
2005065773.tif 000006
【図５】
2005065773.tif 000007
【図６】
2005065773.tif 000008